(57)【要約】  【課題】  リモコン操作器は、トンネル照明の制御用に使用され、また、その送信パワーは、作業車の周辺の照明制御受信装置にのみ到達するように小電力に設定されているため、トンネル内作業車同士の通話はできない。  【解決手段】  トンネル内の一定区間毎に配置された照明制御受信装置と、照明機器と、上記照明制御受信装置に対して照明制御情報を送信する操作器を有し、上記操作器は、送信出力を少なくとも大小２段階に切替える無線部と、通話時に通話識別信号を発生する通話識別信号発生部と、通話識別信号検出部、および上記無線部と、上記通話識別信号発生部および上記通話識別信号検出部を制御する制御部を有し、上記無線回線で上記照明制御情報を送信する場合、上記制御部は、上記無線部を制御して小さい送信出力で送信し、通話時には、上記無線部を制御して大きい送信出力で送信するように構成される。【選択図】  図１
2008177075.tif 000002
【特許請求の範囲】
【請求項１】
トンネル内の一定区間毎に配置された照明制御受信装置と、上記照明制御受信装置に接続され、上記照明制御受信装置により制御される照明機器と、上記照明制御受信装置に対して無線回線で照明制御情報を送信する操作器を有し、上記操作器は、送信出力を少なくとも大小２段階に切替える無線部と、通話時に通話信号に挿入する通話識別信号を発生する通話識別信号発生部と、通話識別信号検出部、および上記無線部と、上記通話識別信号発生部および上記通話識別信号検出部を制御する制御部を有し、上記無線回線で上記照明制御情報を送信する場合、上記制御部は、上記無線部を制御して小さい送信出力で送信し、通話時には、上記無線部を制御して大きい送信出力で送信することを特徴とする通話機能付トンネル照明制御システム。
【発明の詳細な説明】
【技術分野】
【０００１】
本発明は、通話機能付トンネル照明制御システムに関し、特に、鉄道や車両等が走行するトンネル内で適用される通話機能付トンネル照明制御システムに関するものである。
【背景技術】
【０００２】
従来のトンネル照明システムについて図４を用いて説明する。なお、本例では、一例としてトンネル内を作業車に乗った作業員が保守作業する場合について説明する。図４において、１００は、トンネル、１０１−１、１０１−２、・・・１０１−Ｎは、照明制御受信装置であり、トンネル内進行方向に沿って一定区間ごと、例えば、５００ｍ間隔で配置されている。なお、照明制御受信装置を代表する場合は、照明制御受信装置１０１と称する。１０２−１は、上り方向に移動する作業車、１０２−２は、下り方向に移動する作業車である。なお、作業車を代表する場合は、作業車１０２と称する。また、各照明制御受信装置１０１には、作業車１０２が上り方向に進行する際には、その進行方向を点灯する上り照明機器１０３−１、１０３−２、・・・１０３−Ｎが接続されている。なお、上り照明機器を代表する場合は、上り照明機器１０３と称する。また、作業車１０２が下り方向に進行する際にその進行方向を点灯する下り照明機器１０４−１、１０４−２、・・・１０４−Ｎが接続されている。なお、下り照明機器を代表する場合は、下り照明機器１０４と称する。これら上り照明機器１０３および下り照明機器１０４は、例えば、線路の状況やトンネル内道路の状況あるいはトンネル内の壁面に設置された分電盤等の点検、確認のための照明となる。
【０００３】
図５は、照明制御受信装置１０１の内部構成と、上り作業車１０２−１および下り作業車１０２−２に乗る作業者が持つリモコン操作器５０１を示す。図５において、リモコン操作器５０１は、上り照明機器１０３と下り照明機器１０４のいずれを制御するか切替えるチャネルスイッチ５０２および無線送信を起動するプレススイッチ５０３を有している。
【０００４】
そして、上り方向に移動する乗務員は、チャネルスイッチ５０２を「上り」に設定し、プレススイッチ５０３を押すと、リモコン操作器５０１は、次に説明するＭＳＫ（Minimum Shift Keying）信号の照明器上り／下り選択データを「上り」にして送信する。また、下り方向に移動する乗務員は、チャネルスイッチ５０２を「下り」に設定し、プレススイッチ５０３を押すと、リモコン操作器５０１は、次に説明するＭＳＫ信号の照明器上り／下り選択データを「下り」にして送信する。ここで、リモコン操作器５０１から照明制御受信装置１０１に対して表１に示すＭＳＫ信号が伝送される。即ち、送信データをハーゲルバーガ符号化（エラー訂正符号化）し、送信される。
【０００５】
【表１】
2008177075.tif 000003
【０００６】
次に、照明制御受信装置１０１の内部構成を説明する。１０５は、リモコン受信器であり、リモコン操作器５０１からのＭＳＫデータを受信し解析する。１０６は、上り照明制御ＩＦ（Interface）であり１台の照明制御受信装置１０１に割り当てられた区間の上り照明機器１０３に接続されている。１０７は、下り照明制御ＩＦであり１台の照明制御受信装置１０１に割り当てられた区間の下り照明機器１０４に接続されている。
【０００７】
次に本システムの動作を図６を用いて説明する。図６は、上り方向に移動する作業員が上り照明機器１０３を点灯する場合の動作説明のためのタイムチャートを示す。なお、下り方向に移動する場合も同様であるので、下り方向については、説明を省略する。まず、最初に上り照明機器１０３は、全て消灯状態と仮定して説明する。リモコン操作器５０１のチャネルスイッチ５０２を「上り」に設定し、プレススイッチ５０３を押す（ステップ６０１）。これによってＭＳＫデータの上り照明機器１０３の選択データが「上り」で２連送される（ステップ６０２）。ここで、選択データが「上り」で２連送される理由は、誤検出を避けるためである。
【０００８】
上り照明機器１０３の選択データを受信したリモコン受信器１０５は、受信したＭＳＫデータを解析し、ユーザＩＤ、照明機器上りの選択データ、コマンドビット、車番等をチェックし、データが一致（ステップ６０３）していれば、上り照明機器１０３を点灯する（ステップ６０４）。なお、２連送されるデータの何れかが正しければ上り照明機器１０３の制御を行なうようにすることもできる。
【０００９】
また、２連送されるＭＳＫデータの何れもが誤り（データ不一致、ステップ６０５）の場合は、上り照明機器１０３の制御は行わない（ステップ６０７）。
【００１０】
次に、リモコン操作器５０１を「上り」に設定した状態で再度プレススイッチ５０３を押す（ステップ６０８）ことにより、ＭＳＫデータの上り照明機器１０３の照明上り切替要求コマンドが「上り」２連送される（ステップ６０９）。照明上り切替要求コマンドを受信したリモコン受信器１０５は、受信したＭＳＫデータを解析し、ユーザＩＤ、照明機器上りの選択データ、コマンドビット、車番等が一致（ステップ６１０）していれば、上り照明機器１０３を消灯する（ステップ６１１）。
【００１１】
上記のようにして上り作業車１０２−１に乗った作業員は、トンネル１００内を一定区間進行する毎に上記操作を繰返し、進行方向の照明の点灯、消灯を繰返す。なお、各照明機器１０３、１０４は、点灯時間をタイマで制御されており、作業員が照明の消し忘れに対応するようにもなされている。
【００１２】
次に、従来技術の他の一例を図７〜図９により説明する。なお、図７〜図９は、上り方向に移動する作業車について説明したものであり、下り方向に移動する場合についても同様であるので、下り方向の詳細な説明は省略する。図７において、７０１は、リモコン操作器（後述する。）から送信される電波の到達範囲を示す。なお、各部の符号は、図４に示す各部の符号に対応する。また、図７において、照明制御受信装置１０１、上り照明機器１０３、下り照明機器１０４およびリモコン操作器５０１の具体的構成を図８に示す。
【００１３】
図８は、照明制御受信装置１０１の内部構成と、上り作業車１０２−１および下り作業車１０２−２に乗る作業者が持つリモコン操作器５０１を示す。図８において、照明制御受信装置１０１は、リモコン受信機８０１、上り照明制御ＩＦ８０３および下り照明制御ＩＦ８０４で構成されている。なお、リモコン受信機８０１は、ＲＳＳＩ（Received Signal Strength Indicator:電界強度）検出部を備えている。そして、図５で説明したと同様に上り照明制御ＩＦ８０３は、１台の照明制御受信装置１０１に割り当てられた区間の上り照明機器１０３に接続されている。また、下り照明制御ＩＦ８０４は、１台の照明制御受信装置１０１に割り当てられた区間の下り照明機器１０４に接続されている。
【００１４】
リモコン操作器５０１は、上り照明機器１０３と下り照明機器１０４のいずれを制御するか切替えるチャネルスイッチ５０２および無線送信を起動するプレススイッチ５０３を有している。そして、上り方向に移動する乗務員は、チャネルスイッチ５０２を「上り」に設定し、プレススイッチ５０３を押すと、リモコン操作器５０１は、所定の周波数ｆ１で周期的に送信を開始する。
【００１５】
次に、この動作を図９に示すタイムチャートを用いて説明する。図８に示されるリモコン操作器５０１のチャネルスイッチ５０２を「上り」に設定し、照明スイッチ５０３を押す（ステップ９０１）。これによって、リモコン操作器５０１は、所定の周波数ｆ１で周期的に送信を開始する（ステップ９０２）。なお、この場合のリモコン操作器５０１の送信出力は、例えば、１０ｍＷである。このような送信出力に設定すると、電波の到達距離は、数百メートルとなる。しかしながら、電波の到達距離が数百メートルとなると、前述したように５００ｍ間隔で照明装置が設置されているので、点灯不要な照明装置までが点灯する恐れがある。従って、このシステムでは、照明制御受信装置１０１のリモコン受信機８０１での受信感度を低くし、電波到達可能距離を２０ｍ程度にしている。なお、リモコン操作器５０１の送信出力を、例えば、１ｍＷに小さくすることもできる。
【００１６】
さて、リモコン受信器８０１は、ＲＳＳＩ（電界強度）検出部８０２有しており、受信電界強度があらかじめ設定した所定の閾値Ｅｔｈを超えた場合に上り照明機器１０３を点灯し、所定の閾値Ｅｔｈ以下の場合は、上り照明機器１０３を消灯するようにリモコン受信機が動作するようになされている。即ち、図７（Ａ）に示す照明制御受信装置１０１−１に着目すると、上り作業車１０２−１のリモコン操作器５０１が所定の周波数ｆ１で周期的に送信しながら照明制御受信装置１０１−１に近づくと、受信電界強度Ｅが次第に大きくなり、所定の閾値Ｅｔｈを越えると、上り照明機器１０３が点灯する。例えば、所定の閾値Ｅｔｈを“３”に設定したとすると、図９に示されるステップ９０３では、電界強度Ｅが所定の閾値Ｅｔｈ以下、即ち、電界強度Ｅが“０”、“１”、“２”の場合は、上り照明機器１０３は、ＯＦＦのままである。
【００１７】
そして、作業車が近づくと、受信電界強度は、次第に増加し、電界強度Ｅが“３”、“４”、“５”の間（ステップ９０５）は、上り照明機器１０３がＯＮ状態となる（ステップ９０６）。即ち、図７（Ａ）で示す範囲７０１に作業車１０２−１が入った場合を示している。更に、作業車１０２−１が上り方向に進み、照明制御受信装置１０１−１から離れると、電界強度は、所定の閾値Ｅｔｈ以下となり（ステップ９０７）、上り照明機器１０３は、ＯＦＦとなる（ステップ９０８）。そして、図７（Ｂ）に示すように、上りの作業車１０２−１が照明制御受信装置１０１−２に近づくと、上り照明機器１０３−２が点灯する。同様に、図７（Ｃ）のように上りの作業車１０２−１が照明制御受信装置１０１−Ｎに近づくと、上り照明機器１０３−２が点灯する。なお、作業等が終了すると、リモコン操作器５０１のプレススイッチ５０３を再度押して上り照明機器１０３−２をＯＦＦする（ステップ９０９）。
【００１８】
以上、説明した動作により所定の周波数ｆ１で周期的に送信する作業車が進行するに従い進行方向の上り照明が順次点灯し、また、後方の上り照明は、順次消灯する。
【００１９】
さて、以上説明した従来の方式では、リモコン操作器はトンネル照明の点灯の目的で作られている。一方、トンネル内では一般に携帯電話は圏外となり使用できず、トンネル内の作業中に作業車同士で連絡をとる必要が発生した場合でも、リモコン操作器を通話用に使用する場合、その送信パワーは、作業車の周辺の照明制御受信装置の制御用に小電力に設定されているため、相手の作業車まで到達せず、通話ができない。従って、作業者同士の通話のできる通話機能付トンネル照明制御システムの実現が望まれている。
【００２０】
【特許文献１】特に、発見されていない。
【発明の開示】
【発明が解決しようとする課題】
【００２１】
従来、リモコン操作器は、トンネル照明の制御用に使用され、また、その送信パワーは、作業車の周辺の照明制御受信装置にのみ到達するように小電力に設定されているため、トンネル内作業車同士の通話はできない。従って、作業者同士の通話のできる通話機能付トンネル照明制御システムの実現が望まれている。
【００２２】
本発明の目的は、トンネル内の照明機器の制御と作業者同士の通話を可能にする通話機能付トンネル照明制御システムを提供することである。
【００２３】
本発明の他の目的は、トンネル内の照明機器の制御のためのリモコン操作器と作業者同士の通話用無線機を一体に構成した通話機能付トンネル照明制御システムを提供することである。
【００２４】
本発明の更に、他の目的は、トンネル内の照明機器の制御のためのリモコン操作器と作業者同士の通話用無線機の操作を簡単にする通話機能付トンネル照明制御システムを提供することである。
【課題を解決するための手段】
【００２５】
本発明の通話機能付トンネル照明制御システムは、トンネル内の一定区間毎に配置された照明制御受信装置と、上記照明制御受信装置に接続され、上記照明制御受信装置により制御される照明機器と、上記照明制御受信装置に対して無線回線で照明制御情報を送信する操作器を有し、上記操作器は、送信出力を少なくとも大小２段階に切替える無線部と、通話時に通話信号に挿入する通話識別信号を発生する通話識別信号発生部と、通話識別信号検出部、および上記無線部と、上記通話識別信号発生部および上記通話識別信号検出部を制御する制御部を有し、上記無線回線で上記照明制御情報を送信する場合、上記制御部は、上記無線部を制御して小さい送信出力で送信し、通話時には、上記無線部を制御して大きい送信出力で送信するように構成される。
【００２６】
また、本発明の通話機能付トンネル照明制御システムにおいて、上記照明制御受信装置は、通話識別信号検出部を有し、上記操作器からの送信信号を受信すると共に、上記通話識別信号検出部は、上記送信信号中に上記通話識別信号が含まれていることを検出した場合、上記照明制御受信装置は、上記照明機器の制御を行わないように構成される。
【００２７】
また、本発明の通話機能付トンネル照明制御システムにおいて、上記操作器の上記無線部は、２つ以上の送受信無線キャリア周波数に切替える機能を有し、上記送信無線キャリア周波数と上記受信無線キャリア周波数は、独立に設定可能であるように構成される。
【発明の効果】
【００２８】
以上、説明したように本発明によればトンネル内の照明機器の制御およびトンネル内作業者同士の通話も行える通話機能付トンネル照明制御システムが実現できる。また、トンネル内の照明機器制御用のリモコン操作器と、無線機とを一体に構成することによりリモコン兼無線機をコンパクトにし、安価なシステムを実現できる特徴がある。また、操作も簡単な通話機能付トンネル照明制御システムが実現できる。
【発明を実施するための最良の形態】
【００２９】
本発明の一実施例について図１、図２および図３を用いて説明する。図２は、本発明の一実施例のトンネル１００内に配置された照明制御受信装置１１０−１、１１０−２、・・・１１０−Ｎ（照明制御受信装置を代表する場合は、照明制御受信装置１１０と称する。）、上り照明機器１０３、下り照明機器１０４および作業車１０２を示している。なお、各部の符号は、図４に示す符号に対応する。また、照明制御受信装置１１０は、リモコン受信機１２１、上り照明制御ＩＦ１２２および下り照明制御ＩＦ１２３を有している。また、リモコン受信機１２１は、ＣＴＣＳＳ（Continuous Tone Coded Squelch System）／ＲＳＳＩ検出部１２４を備えている。
【００３０】
１３０−１、１３０−２は、それぞれ上り作業車１０２−１、下り作業車１０２−２の作業者が所有しているリモコン操作器を示している。なお、リモコン操作器を代表する場合は、リモコン操作器１３０と称する。１３１−１、１３１−２は、通話チャネル切替スイッチ、１３２−１、１３２−２は、照明／通話切替スイッチ、１３３−１、１３３−２は、スピーカ、１３４−１、１３４−２は、マイクを示している。なお、通話チャネル切替スイッチを代表する場合は、通話チャネル切替スイッチ１３１、照明／通話切替スイッチを代表する場合は、照明／通話切替スイッチ１３２、スピーカを代表する場合は、スピーカ１３３、マイクを代表する場合は、マイク１３４と称する。ここで、リモコン操作器１３０−１、１３０−２の動作を表２を用いて説明する。
【００３１】
【表２】
2008177075.tif 000004
【００３２】
まず、上り作業車のリモコン操作器１３０−１について説明する。表２において、リモコン操作器１３０−１の通話チャネルスイッチ１３１−１を「上り」にセットし、照明／通話スイッチ１３２−１を「照明」にセットする。このようにセットすると、リモコン操作器１３０−１は、照明機器の制御信号を無線キャリア周波数ｆ１（送信）で、かつ、送信パワーは、「小」、そして、通話識別信号のＣＴＣＳＳ信号は、「無し」（含まれない。）の信号が照明制御受信装置１１０、例えば、照明制御受信装置１１０−１に対して送信される。この場合の送信電力は、先に説明したように遠方の不要な照明機器まで点灯することが無い様に、例えば、２０ｍ程度の距離が届く程度の小パワーに設定されている。
【００３３】
この場合、照明制御受信装置１１０−１のリモコン受信機１２１は、リモコン操作器１３０−１から無線キャリア周波数ｆ１で、小パワーの制御信号を受信する。リモコン受信機１２１では、リモコン操作器１３０−１からの制御信号を解読し、無線キャリア周波数ｆ１で、かつ、ＣＴＣＳＳ信号が検出されないため、上り照明機器１０３−１の制御信号と判断するが、リモコン受信機１２１のＣＴＣＳＳ／ＲＳＳＩ検出部１２４のＲＳＳＩ検出部で、ＲＳＳＩの閾値が所定の閾値Ｅｔｈ以下の場合は、上り照明機器１０３−１は、点灯しない。そして、上り作業車１０２−１が更に照明制御受信装置１１０−１に近づき、ＲＳＳＩの閾値が所定の閾値Ｅｔｈを越えると、上り照明機器１０３−１を点灯させる。このようにして作業車の上り方向の進行に従って、上り照明機器１０３を順次点灯していく。
【００３４】
一方、下り作業車のリモコン操作器１３０−２も、上記の場合と同様に、リモコン操作器１３０−２の通話チャネルスイッチ１３１−１を「下り」にセットし、照明／通話スイッチ１３２−１を「照明」にセットする。このようにセットすると、リモコン操作器１３０−２は、照明機器の制御信号を無線キャリア周波数ｆ２（送信）で、かつ、送信パワーは、「小」、そして、通話識別信号のＣＴＣＳＳ信号は、「無し」の信号が照明制御受信装置１１０、例えば、照明制御受信装置１１０―Ｎに対して送信される。この場合の送信電力は、先に説明したように遠方の不要な照明機器まで点灯することが無い様に、例えば、２０ｍ程度の距離が届く程度の小パワーに設定されている。
【００３５】
この場合、照明制御受信装置１１０―Ｎのリモコン受信機１２１は、リモコン操作器１３０−２から無線キャリア周波数ｆ２で、小パワーの制御信号を受信する。リモコン受信機１２１では、リモコン操作器１３０−２からの制御信号を解読し、無線キャリア周波数ｆ２で、かつ、ＣＴＣＳＳ信号が検出されないため、下り照明機器１０４−Ｎの制御信号と判断するが、リモコン受信機１２１のＣＴＣＳＳ／ＲＳＳＩ検出部１２４のＲＳＳＩ検出部で、ＲＳＳＩの閾値が所定の閾値Ｅｔｈ以下の場合は、下り照明機器１０４−Ｎは、点灯しない。そして、下り作業車１０２−１が更に照明制御受信装置１１０―Ｎに近づき、ＲＳＳＩの閾値が所定の閾値Ｅｔｈを越えると、下り照明機器１０４−Ｎを点灯させる。このようにして作業車の下り方向の進行に従って、下り照明機器１０４を順次点灯していく。
【００３６】
なお、上述した上り照明機器１０３の制御動作および下り照明機器１０４の制御動作は、例えば、図９で説明した場合と同様であるので、詳細な説明は省略する。また、本実施例では、上り作業車のリモコン操作器１３０−１と下り作業車のリモコン操作器１３０−２とを無線キャリア周波数ｆ１、ｆ２で区別する方法を採用しているが、図５で示されるようにＭＳＫ信号で照明器上り／下り選択データを送信するようにすることも容易に実現できることはいうまでもない。
【００３７】
次に、上り、下りの作業車に乗っている作業者同士が通話する場合について説明する。例えば、上り作業車の作業者が通話を要求する場合、表２に示すように、この作業者は、リモコン操作器１３０−１の通話チャネルスイッチ１３１−１を「上り」にセットし、また、照明／通話スイッチ１３２−１を「通話」にセットする。このように操作すると、リモコン操作器１３０−１は、送信無線キャリア周波数ｆ１、受信無線キャリア周波数ｆ２で、送信パワーは、「大」で、通信識別信号（ＣＴＣＳＳ信号）が音声信号に含まれた信号がリモコン操作器１３０−１から送信される。
【００３８】
一方、照明制御受信装置１１０のリモコン受信機１２１のＣＴＣＳＳ／ＲＳＳＩ検出部１２４は、大パワーの音声信号をリモコン操作器１３０−１から受信し、受信信号を解読するが、音声信号に通信識別信号（例えば、ＣＴＣＳＳ信号）が含まれているので、このリモコン操作器１３０−１からの受信信号は、上り照明機器１０３の制御信号ではないと判断し、上り照明機器１０３の制御は行わない。
【００３９】
同様に、下り作業車の作業者が通信を要求する場合、表２に示すように、この作業者は、リモコン操作器１３０−２の通話チャネルスイッチ１３１−２を「下り」にセットし、また、照明／通話スイッチ１３２−２を「通話」にセットする。このように操作すると、リモコン操作器１３０−２は、送信無線キャリア周波数ｆ２、受信無線キャリア周波数ｆ１で、送信パワーは、「大」で、通信識別信号（ＣＴＣＳＳ信号）が音声信号に含まれた信号がリモコン操作器１３０−１から送信される。
【００４０】
一方、照明制御受信装置１１０のリモコン受信機１２１のＣＴＣＳＳ／ＲＳＳＩ検出部１２４は、大パワーの音声信号をリモコン操作器１３０−２から受信し、受信信号を解読するが、音声信号に通信識別信号（例えば、ＣＴＣＳＳ信号）が含まれているので、このリモコン操作器１３０−２からの受信信号は、下り照明機器１０４の制御信号ではないと判断し、下り照明機器１０４の制御は行わない。
【００４１】
以上のようにして本発明の実施例では、１台のリモコン操作器１３０で照明制御受信装置１１０の制御と、上り下りの作業者間の通話用の無線機を共用することができ、操作が簡単で、製造コストが安くなる等の特徴を有する。
【００４２】
以下、この動作を図３を用いて更に詳しく説明する。図３は、リモコン操作器１３０の概略構成のブロック図を示す。図３において、３０１は、制御部（ＭＰＵ）、３０２は、通信識別信号（例えば、ＣＴＣＳＳ信号）発生部、３０３は、周波数シンセサイザ、３０４は、通信識別信号（例えば、ＣＴＣＳＳ信号）検出部、３０５は、Ｄ／Ａ変換部、３０６は、変調部、３０７は、増幅部（ＰＡ：パワーアンプ）、３０８は、アンテナ回路部、３１０は、復調部である。また、ＳＷ１、ＳＷ２、ＳＷ３は、スイッチである。なお、図１と同じものには、同じ符号が付されている。アンテナ回路部３０８は、上り、下りの信号をそれぞれ分配、または、スイッチして増幅部３０７および復調部３１０と接続する回路部である。増幅部３０７は、制御部３０１の制御に基づいて送信出力を小パワー／大パワーとに切替える機能を有している。例えば、小パワーは、１０ｍＷであり、大パワーは、１Ｗである。このような制御は、例えば、増幅器の利得を制御することで実現できる。なお、変調部３０６、増幅部３０７、アンテナ回路部３０８、復調部３１０は、無線部３２０を構成している。
【００４３】
周波数シンセサイザ３０３は、制御部３０１の制御に基づいて、送信および受信のキャリア周波数を、例えば、無線キャリア周波数ｆ１あるいはｆ２に切替える機能を有している。例えば、リモコン操作器１３０−１は、上り作業車用であるので、送信無線キャリア周波数は、「ｆ１」、受信無線キャリア周波数は、「ｆ２」である。一方、リモコン操作器１３０−２では、下り作業車用であるので、送信無線キャリア周波数は、「ｆ２」、受信無線キャリア周波数は、「ｆ１」である。また、通信識別信号（例えば、ＣＴＣＳＳ信号）発生部３０２は、制御部３０１の制御に基づいて、例えば、所定の周波数を発生し、変調部３０６に供給する。
【００４４】
次に、リモコン操作器１３０の動作を説明する。なお、上り、下りのリモコン操作器１３０は、その動作は、類似しているので、ここでは、上りリモコン操作器１３０−１について、その動作を説明し、下りリモコン操作器１３０−２についての動作は、省略する。まず、リモコン操作器１３０−１で照明制御受信装置１１０を制御する場合のついて説明する。リモコン操作器１３０−１の通話チャネル切替スイッチ１３１を、「上り」に設定し、また、照明／通話スイッチを「照明」にセットする。このように操作すると、制御部３０１は、周波数シンセサイザ３０３を所定の周波数、例えば、アンテナ回路部３０８から出力される無線キャリア周波数は、ｆ１となるように制御する。同時に、制御部３０１は、ＳＷ１、ＳＷ２、ＳＷ３をＯＦＦ（開状態）にすると共に、Ｄ／Ａ変換部３０５を介して増幅部３０７の出力を小パワー、例えば、１０ｍＷに制御する。なお、スイッチＳＷ２がＯＦＦ（開）の状態であるので、送信信号には、通信識別信号（例えば、ＣＴＣＳＳ信号）は含まれない。
【００４５】
その結果、照明制御受信装置１１０のリモコン受信機１２１は、リモコン操作器１３０−１から無線キャリア周波数ｆ１で、小パワーの制御信号を受信する。リモコン受信機１２１では、リモコン操作器１３０−１からの制御信号を解読し、無線キャリア周波数ｆ１で、かつ、通信識別信号（例えば、ＣＴＣＳＳ信号）が検出されないため、上り照明機器１０３の制御信号と判断するが、リモコン受信機１２１のＣＴＣＳＳ／ＲＳＳＩ検出部１２４のＲＳＳＩ検出部で、ＲＳＳＩの閾値が所定の閾値Ｅｔｈ以下の場合は、上り照明機器１０３は、点灯しない。そして、上り作業車１０２−１が更に照明制御受信装置１１０に近づき、ＲＳＳＩの閾値が所定の閾値Ｅｔｈを越えると、上り照明機器１０３を点灯させる。
【００４６】
次に、上り作業車１０２−１の作業者が下り作業車１０２−２の作業者に通話する場合について説明する。この場合、リモコン操作器１３０−１の通話チャネル切替スイッチ１３１−１を「上り」にセットする。これによって制御部３０１は、周波数シンセサイザ３０３を制御して送信無線キャリア周波数を「ｆ１」、受信無線キャリア周波数を「ｆ２」に制御する。更に、制御部３０１は、Ｄ／Ａ変換部３０５を介して増幅部３０６を制御し、増幅部３０６の出力を大パワー、例えば、１Ｗに切替える。また、照明／通信切替えスイッチ１３２を「通話」にセットする。これによってスイッチＳＷ１、ＳＷ２、ＳＷ３がＯＮ状態（閉状態）となり、通信識別信号（例えば、ＣＴＣＳＳ信号）発生部３０２から通信識別信号（例えば、ＣＴＣＳＳ信号）が変調部３０６に供給される。また、スイッチＳＷ１、ＳＷ３がＯＮ状態（閉状態）となり、マイク１３４がスイッチＳＷ１を介して変調部３０６に接続され、スピーカ１３０は、スイッチＳＷ３を介して復調部３１０に接続される。
【００４７】
この状態では、マイク１３４からの音声信号は、変調部３０６で通信識別信号（例えば、ＣＴＣＳＳ信号）を含む所定の信号処理がなされ、増幅部３０７で大パワーに増幅され、アンテナ回路３０８を介して下りのリモコン操作器１３０−２に送信される。音声の送信は、例えば、プレストーク方式のように、操作者は、照明／通話スイッチ１３２−１を押しながらマイク１３４に向かって通話する。これにより送信電波に送信音声と通信識別信号（例えば、ＣＴＣＳＳ信号）が重畳された音声信号が送出される。
【００４８】
下りリモコン操作器１３０−２では、リモコン操作器１３０−１からの電波を受信し、これを解析し、受信電波の中にＣＴＣＳＳ信号が含まれているので、通話であると判断し、通話チャネル切替えスイッチ１３１、照明／通信切替えスイッチ１３２を適宜操作してリモコン操作器１３０−１の操作者と通話を開始する。この受信の場合については、図３の受信部の構成で説明する。
【００４９】
図３に示すリモコン操作器１３０−１の受信部は、リモコン操作器１３０−２からの通信を受信する。従って、リモコン操作器１３０−２からの通信信号は、無線キャリア周波数がｆ２、出力は、大パワーで、かつ、音声信号に通信識別信号（例えば、ＣＴＣＳＳ信号）が含まれている。この受信信号をアンテナ、アンテナ回路部３０８を介して復調部３１０で復調し、通信識別信号（例えば、ＣＴＣＳＳ信号）検出部３０４に供給される。通信識別信号（例えば、ＣＴＣＳＳ信号）検出部３０４で通信識別信号（例えば、ＣＴＣＳＳ信号）が検出されると、この信号が制御部３０１に供給され、受信電波に通信識別信号（例えば、ＣＴＣＳＳ信号）が含まれていることが認識される。
【００５０】
制御部３０１では、照明／通話スイッチ１３２が通話のとき、スイッチＳＷ１、ＳＷ２をＯＮ状態にし、そして、通信識別信号（例えば、ＣＴＣＳＳ信号）発生部３０２で制御部３０１からの制御に基づいて、例えば、所定の周波数の通信識別信号（例えば、ＣＴＣＳＳ信号）を変調部３０６に出力する。また、制御部３０１は、Ｄ／Ａ変換部３０５を介して送信パワー制御電圧を変調部３０６に出力し、送信出力を大パワー、例えば、１Ｗにする。変調部３０６は、マイク１３４からの送信音声と通信識別信号（例えば、ＣＴＣＳＳ信号）発生部３０２からの通信識別信号（例えば、ＣＴＣＳＳ信号）を変調し、増幅部３０７に出力し、アンテナ回路部３０８を介して送信する。また、通信識別信号を検出すると、ＳＷ３をＯＮ状態にし、復調部３１０から出力し、リモコン操作器１３０−２からの受信音声をスピーカ１３０から出力する。以上のようにしてリモコン操作器１３０−１は、リモコン操作器１３０−２からの音声信号を聞くことができ、相互に通話することができる。
【００５１】
なお、上記実施例では、照明制御受信装置の制御信号か、通話信号かの区別を通信識別信号、例えば、ＣＴＣＳＳ信号の有無で判断しているが、ＣＴＣＳＳ信号には、複数の周波数コードが有り、ＣＴＣＳＳ信号の周波数コードの違いにより照明制御受信装置の制御信号か、通話信号かの区別をするように構成することもできる。更に、他の通信識別信号を用いることもできる。
【００５２】
また、上記実施例において、リモコン操作器は、「大」「小」の２段階の送信出力の切替で説明したが、目的、システム構成に応じて２段階以上の送信出力とすることもできる。また、送受信する無線キャリア周波数も２周波に限定されるものではなく、２つ以上の無線キャリア周波数の切替が可能な無線部であってもよい。また、これらの無線キャリア周波数は、独立に設定することが可能である。
【００５３】
以上、本発明について詳細に説明したが、本発明は、ここに記載された通話機能付トンネル照明制御システムの実施例に限定されるものではなく、上記以外の通話機能付トンネル照明制御システムに広く適応することが出来ることは、言うまでも無い。
【図面の簡単な説明】
【００５４】
【図１】本発明の一実施例の概略構成を示す図である。
【図２】本発明が適用されるトンネルの構成を示す図である。
【図３】本発明で用いられるリモコン操作器の概略構成のブロック図を示す。
【図４】従来のトンネルの構成を示す図である。
【図５】従来のトンネル照明制御システムの一例の構成を示す図である。
【図６】図５で示されるトンネル照明制御システムの動作を説明するためのタイムチャートである。
【図７】従来の他のトンネルの構成を示す図である。
【図８】従来のトンネル照明制御システムの他の一例の構成を示す図である。
【図９】図８で示されるトンネル照明制御システムの動作を説明するためのタイムチャートである。
【符号の説明】
【００５５】
１００：トンネル、１０１、１１０：照明制御受信装置、１０２：作業車、１０３：上り照明機器、１０４：下り照明機器、１２１、８０１：リモコン受信機、１０６、１２２、８０３：上り照明制御ＩＦ、１０７、１２３、８０４：下り照明制御ＩＦ、１２４：ＣＴＣＳＳ／ＲＳＳＩ検出部、１３０、５０１：リモコン操作器、１３１：通話チャネル切替えスイッチ、１３２：照明／通話切替スイッチ、１３３：スピーカ、１３４：マイク、３０１：制御部、３０２：ＣＴＣＳＳ発生部、３０３：周波数シンセサイザ、３０４：ＣＴＣＳＳ検出部、３０５：Ｄ／Ａ変換部、３０６：変調部、３０７：増幅部、３０８：アンテナ回路部、３１０：復調部、３２０：無線部、５０２：チャネルスイッチ、５０３：照明スイッチ。
【図１】
2008177075.tif 000005
【図２】
2008177075.tif 000006
【図３】
2008177075.tif 000007
【図４】
2008177075.tif 000008
【図５】
2008177075.tif 000009
【図６】
2008177075.tif 000010
【図７】
2008177075.tif 000011
【図８】
2008177075.tif 000012
【図９】
2008177075.tif 000013